(57)【要約】【課題】、簡単な操作で自在にその必要長さを変えることができるクイックアジャストストラップを提供する。【解決手段】ストラップ本体１に、可動係止カン２、ストラップ接続カン３、ストラップ取付カン４及び操作カン９をそれぞれ付設してストラップ本体１が二重となるループ部８を形成し、前記Ｄ字型操作カン９を上方向又は下方向に引っ張ることによって当該ループ部８の大きさを自在に調節し、必要長さを調整することができるようにした。【選択図】図１
0003169718.tif 000002
【実用新案登録請求の範囲】
【請求項１】
ストラップ本体に、可動係止カン、ストラップ接続カン、ストラップ取付カン及び操作カンをそれぞれ付設してストラップ本体が二重となるループ部を形成し、前記操作カンを上方向又は下方向に引っ張ることによって当該ループ部の大きさを自在に調節し、ストラップ本体の必要長さを調整することができるようしたことを特徴とするクイックアジャストストラップ。
【請求項２】
必要長さを調整できるようにしたストラップにおいて、ストラップ本体の一端部を、可動係止カンを挿通させてからストラップ接続カンを通して折り返し、当該折り返された一端部を、前記可動係止カンを再度挿通させてから、ストラップ取付カンを通し、さらに前記ストラップ接続カンを通して折り返すことによってループ部を形成すると共に、当該折り返された一端部を、操作カンの軸部を通してから折り返し、当該操作カンと前記ストラップ接続カンの中間部分で三重となった部分を固定手段で止め付けたことを特徴とするクイックアジャストストラップ。
【考案の詳細な説明】
【技術分野】
【０００１】
本考案はカメラや各種バッグ類、あるいはギター等の楽器用ケースを携行するとき又は楽器類を吊下げて演奏するとき等に用いて好適なストラップに係り、特にきわめて簡単な操作で必要長さを自在に調整できるようにしたクイックアジャストストラップに関する。
【背景技術】
【０００２】
たとえば、カメラや各種バッグ類、あるいはギター等の楽器用ケース等を携行する場合、当該対象物をストラップで肩や首から吊り下げることが行なわれている。このストラップによる携行方法によれば、カメラ等対象物を常に手で保持する必要がなくなり、カメラ等対象物を操作する時以外は両手が自由となる。また、重量のあるカメラ等対象物の場合、携行による身体への負担を軽減することができる。
【０００３】
これらの携行時に用いられるストラップは伸縮調節機能こそ有しているが、必要長さを調節するには一度カメラ等の携行を解き、両手で操作する必要があり、安定した場所に置いた状態で前記操作をしなければ、カメラ等を落下させる危険もあった。また、操作に手間が掛かることから一瞬の出来事の撮影を望む者にとってはシャッターチャンスを逃す一因ともなっていた。
【０００４】
伸縮調節機能を持ったストラップとして、下記特許文献１に、単一のストラップ本体１と、当該ストラップ本体１の一端側が係止されるサルカン２と、ストラップ本体１が挿通され、かつストラップ本体１の多端側が連結されるコキ４と、ストラップ本体１が挿通されるサルカン３と、コキ４に挿通されたストラップ本体１が挿通されるサルカン５と、このサルカン５の挿通口を通って折り返される操作片６とから概略構成されるストラップが開示されている。
【０００５】
この特許文献１に示されたストラップによった場合、伸長状態にあるストラップ２０を収縮状態にする場合は、操作片６をストラップ本体１から遠ざかる方向に引くことにより、サルカン２とサルカン３との直線距離に対して余剰な長さ分のストラップ本体１がコキ４から引き出され、操作片６の裏面に取付けてある面ファスナ７を、ストラップ本体１の一端側に設けてある面ファスナ８に係合させることによって引き出されたストラップ本体１の余長部分が固定されるようになっている。
【０００６】
また、収縮状態のストラップを伸長させるには、一方の手でバッグの取っ手を持ち、他方の手で操作片６をバッグから離すように引っ張って面ファスナ７と面ファスナ８の係合を解き、ストラップ本体１をバッグから離すように引き出すことによりなされる。
【先行技術文献】
【特許文献】
【０００７】
【特許文献１】特開２００９−１６５７７３号公報
【考案の概要】
【考案が解決しようとする課題】
【０００８】
上記したように、特許文献１に示されたストラップ構造によった場合は、操作片を引くことによって収縮させることができ、ストラップ本体を引っ張ることによって伸長させることができ、伸長時、収縮時の操作性が確かに改善される。
【０００９】
しかしながら、上記ストラップ構造は、ストラップ本体の必要長さを自在に調整できるものではなかった。すなわち、ストラップを収縮させるため操作片を引っ張って引き出したストラップの余長部は面ファスナー同士の係着により固定させるものであるから、所定長さでしか調節することができず、使用者の意思で身体に合わせ自在に必要長さを変えることは不可能であった。
【００１０】
そこで、本考案は上記した従来技術の問題点を解決し、簡単な操作で自在にその必要長さを変えることができ、且つ調節した長さを固定状態に保持できるクイックアジャストストラップを提供することを目的とするものである。
【課題を解決するための手段】
【００１１】
上記課題を解決するための本考案の構成を詳述すれば、請求項１に係る考案は、ストラップ本体に、可動係止カン、ストラップ接続カン、ストラップ取付カン及び操作カンをそれぞれ付設してストラップ本体が二重となるループ部を形成し、前記操作カンを上方向又は下方向に引っ張ることによって当該ループ部の大きさを自在に調節し、ストラップ本体の必要長さを調整することができるようしたことを特徴とするクイックアジャストストラップである。
【００１２】
また、請求項２に係る考案は、必要長さを調整できるようにしたストラップにおいて、ストラップ本体の一端部を、可動係止カンを挿通させてからストラップ接続カンを通して折り返し、当該折り返された一端部を、前記可動係止カンを再度挿通させてから、ストラップ取付カンを通し、さらに前記ストラップ接続カンを通して折り返すことによってループ部を形成すると共に、当該折り返された一端部を、操作カンの軸部を通してから折り返し、当該操作カンと前記ストラップ接続カンの中間部分で三重となった部分を固定手段で止め付けたことを特徴とするクイックアジャストストラップである。
【考案の効果】
【００１３】
上記したように、本考案は、ストラップ本体に、可動係止カン、ストラップ接続カン、ストラップ取付カン及び操作カンをそれぞれ付設してストラップ本体が二重となるループ部を形成してなるものであり、前記操作カンを操作することによって当該ループ部の大きさを変えることができると共に、可動係止カンが当該調節位置を固定状態に保持することができるので、ストラップ本体の必要長さを簡単な操作で素早く自在に調整することができる。
【００１４】
本考案ストラップの吊り下げ対象がカメラの場合は、ストラップの必要長さを身体にフィットするように短くすれば、カメラが邪魔にならず移動が楽になると共に、撮影時には、ワンアクションでストラップを伸長させることができ一瞬のシャッターチャンスでも逃すことがなくなる。
【００１５】
また、必要長さの調節はループ部の大きさによってなされるので、ストラップに従来のような余長部が生ずることが一切なく、当該余長部によって生ずる幾つかの不具合を解消することができる。すなわち、余長部が他の物に引っ掛かったり、挟まれたりする不具合をなくすことができるものである。
【００１６】
さらに、１台のカメラを数人で共用する場合にも、瞬時に各人のベストな位置に調節することができると共に、カメラを背中側に回してストラップを短くし、身体に密着するように調整すれば自転車での移動の際にもカメラが邪魔になるようなことがない。
【００１７】
なお、本考案に係るストラップは、カメラや各種バッグ類以外の吊り下げ対象、たとえばギターや管楽器類を吊下げて演奏する際に使用しても多大な効果を奏するものである。
【図面の簡単な説明】
【００１８】
【図１】本考案に係るクイックアジャストストラップの一実施形態を示す斜視図である。
【図２】本考案に係るクイックアジャストストラップの一実施形態を示す説明図である。
【図３】本考案に係るクイックアジャストストラップをカメラに適用した場合の使用状態を示す説明図である。
【考案を実施するための形態】
【００１９】
以下、本考案の具体的構成を図示の実施形態について詳細に説明する。
【００２０】
図中１はストラップ本体を示し、当該ストラップ本体１は肩や首に掛けたりするときに適する所要の幅を有しており、木綿やナイロン、ポリエステル、ポリプロピレン等従来公知の自然素材または合成素材を用いて製することができる。
【００２１】
２は前記ストラップ本体１の一端部を挿通させる可動係止カン、３は当該可動係止カン２を通ったストラップ本体１の一端部を挿通させるストラップ接続カンである。ストラップ接続カン３を通ったストラップ本体１の一端部は折り返して再度前記可動係止カン２を挿通させる（図２参照）。
【００２２】
４はカメラ等吊下げ対象物５に取付けたベルト６の先端に設けてあるストラップ取付カンであり、可動係止カン２を折り返し通ってきたストラップ本体１の一端部はこのストラップ取付カン４内を通して折り返させる。
【００２３】
なお、前記ベルト６には公知の所謂コキ７が設けてあって、カメラ等吊下げ対象物５に固定できるようになっているが、当該コキ７は本考案の技術的要旨に何ら影響を与えるものではなく、カメラ等吊下げ対象物５に対する固定手段はコキ７以外のものに変更可能であることは勿論である。
【００２４】
ストラップ取付カン４内を通って折り返してきたストラップ本体１の一端部は前記ストラップ接続カン３を通して進入方向へ折り返す。これによって図１及び図２に示すように、１本のストラップ本体１にループ部８が形成されることになる。このループ部８の大きさは可動係止カン２、ストラップ接続カン３及びストラップ取付カン４を通すストラップ本体１の長さに対応して増減する。
【００２５】
次に、９は前記ループ部８の大きさを変えるときに用いる操作カンであり、手指で操作し易いようにＤ字型にしてある。この操作カン９は前記ストラップ接続カン３を通って進入方向に折り返されてきたストラップ本体１の一端部によってＤ字型操作カン９の軸部１０を巻き込むようにしてストラップ本体１に付設される。
【００２６】
このように、ストラップ本体１の一端部はストラップ接続カン３と操作カン９の軸部１０の間を折り返されることによって図２に示すように三重状態となる。
【００２７】
本考案においては、操作カン９とストラップ接続カン３の中間部分で三重となった部分１１を止めピン等適宜の固定手段１２で止め付けるようにしたものであり、その結果、必要長さの調節に伴ってストラップ本体１に余長部が生ずることがなくなるものである。
【００２８】
すなわち、ストラップ本体１の長さ調節は、可動係止カン２、ストラップ接続カン３及びストラップ取付カン４によって形成されるループ部８の大きさを調整することによってなされるので、ストラップ本体１に余長部が生ずることはなく、当該余長部に伴う諸種の不具合を解消することができるものである。
【００２９】
なお、上記した可動係止カン２、ストラップ接続カン３、ストラップ取付カン４及び操作カン９はいずれも合成樹脂製のものであるが、これを金属製のものに置き換えることができるのは勿論である。
【００３０】
その他図中の１３はストラップ本体１の他端部に設けたベルトであり、当該ベルト１３にはカメラ等吊下げ対象物５に固定するための所謂コキ１４を設けてある。このコキ１４は前記同様に本考案の技術的要旨に何ら影響を与えるものではなく、カメラ等吊下げ対象物５に対する固定手段は当該コキ１４以外のものに変更可能であることは勿論である。
【００３１】
次に、吊下げ対象物５をカメラとした場合の使用例を図３に基づき説明すれば、先ず、ストラップ本体１を、図３（Ａ）に示すように肩から掛ける。そして、ストラップ本体１の長さを収縮させる必要が生じた場合は、図３（Ｂ）に示すように一方の手でカメラ５を持ち、Ｄ字型をした操作カン９に他方の手の指を掛ける。
【００３２】
次いで、図３（Ｃ）のように操作カン９を手前上方に引っ張り上げる。そうすると、ループ部８が大きくなって、これに比例してストラップ本体１の長さが短くなり、図３（Ｄ）のようにカメラ５が身体にフィットする。長さの調節が終わると、可動係止カン２がストラップ接続カン３に近接してストラップ本体１を抑え付けることになるので、調整したストラップ本体１の長さは固定された状態となる（図３）。
【００３３】
なお、ストラップ本体１の必要長さを伸長させる場合は、前記とは逆に、操作カン９に手の指を掛けて下向きに引っ張ると、ループ部８が小さくなり、これに比例してストラップ本体１の長さが長くなる。調整後のストラップ本体１の長さが固定された状態となるのは前記同様である。
【符号の説明】
【００３４】
１：ストラップ本体
２：可動係止カン
３：ストラップ接続カン
４：ストラップ取付カン
５：吊下げ対象物（カメラ）
６：ベルト６
７：コキ
８：ループ部
９：操作カン
１０：軸部
１１：三重となった部分
１２：固定手段
１３：ベルト
１４：コキ
【図１】
0003169718.tif 000003
【図２】
0003169718.tif 000004
【図３】
0003169718.tif 000005